(57)【要約】【課題】印刷装置に対して少なくとも２つ以上の色再現性を求める場合でも、１つのカラープロファイルを用いて印刷物に対して求められる色再現性を達成する。【解決手段】空間アドレスにおける所定の外郭に属するアドレス点の色再現性を優先するようインク量が設定される第１のプロファイルを作成し、前記空間アドレスにおける前記外郭以外のアドレス点の色再現性を優先するようインク量が設定される第２のプロファイルを作成し、前記空間アドレスの前記所定外郭に位置するアドレス点に前記第１のプロファイルで同位置のアドレス点に設定されたインク量を設定し、前記空間アドレスの前記所定の外郭以外のアドレス点に前記第２のプロファイルで同位置のアドレス点に設定されたインク量を設定して第３のプロファイルを作成する。【選択図】図３
2013016956.tif 000002
【特許請求の範囲】
【請求項１】
入力色データの値により規定される空間アドレスに対してインク量を対応付けたカラープロファイルを作成するカラープロファイル作成方法において、
前記空間アドレスにおける所定の外郭に属するアドレス点の色再現性を優先するようインク量が設定される第１のプロファイルを作成する第１のプロファイル作成工程と、
前記空間アドレスにおける前記外郭以外のアドレス点の色再現性を優先するようインク量が設定される第２のプロファイルを作成する第２のプロファイル作成工程と、
前記空間アドレスの前記所定の外郭に位置するアドレス点に前記第１のプロファイルで同位置のアドレス点に設定されたインク量を設定し、前記空間アドレスの前記所定の外郭以外のアドレス点に前記第２のプロファイルで同位置のアドレス点に設定されたインク量を設定して第３のプロファイルを作成するプロファイル結合工程と、を有することを特徴とするカラープロファイル作成方法。
【請求項２】
前記所定の外郭が、前記空間アドレスにおけるレッド、イエロー、ホワイト、マゼンダの各頂点を結ぶ平面と、イエロー、グリーン、シアン、ホワイトの各頂点を結ぶ平面と、ホワイト、シアン、ブルー、マゼンダの各頂点を結ぶ平面と、であることを特徴とする請求項１に記載のカラープロファイル作成方法。
【請求項３】
前記第２のプロファイル作成工程では、前記空間アドレスのレッド、イエロー、グリーン、シアン、ブルー、マゼンダの各頂点を結ぶ稜線に属するグリットに設定されるインク量の明度を、前記第１のプロファイルの空間アドレスの同位置のグリットに設定されるインク量の明度と近くなるよう設定することを特徴とする請求項２に記載のカラープロファイル作成方法。
【請求項４】
前記プロファイル結合工程では、明度を用いて前記所定の外郭付近のアドレス点と前記所定の外郭以外のアドレス点との境界を設定し、
前記境界付近のアドレス点の明度が均一となるよう、各アドレス点に対してインク量を設定することを特徴とする請求項１から請求項３のいずれか一項に記載のカラープロファイル作成方法。
【請求項５】
前記プロファイル結合工程では、ＨＳＶ表色系において、ｈｕｅ（色相）、Ｓ（彩度）、Ｖ（明度）とした場合に、前記第３のプロファイルにおける、
１９０＜ｈｕｅ＜２３０
０．２＜Ｓ＜０．８
８０パーセント＜Ｖ≦１００パーセント
の範囲に属するアドレス点に対して評価を行い、
前記範囲に属するアドレス点の評価が悪い場合は、インク量の再設定を行なうことを特徴とする請求項１から請求項４のいずれか一項に記載のカラープロファイル作成方法。
【請求項６】
前記プロファイル結合工程では、前記空色に対応するアドレス点に設定されたインク量の彩度を、色域におけるシアン稜線側に移動させるよう同インク量の再設定を行うことを特徴とする請求項５に記載のカラープロファイル作成方法。
【請求項７】
前記請求項１に記載のカラープロファイル作成方法により作成された第３のプロファイルを用いて入力色データに対応するインク量を選択するインク量選択工程と、
前記選択されたインク量を用いて印刷を行う印刷実行工程と、を有することを特徴とする印刷方法。
【請求項８】
前記請求項１に記載のカラープロファイル作成方法により作成された第３のプロファイルを用いて入力色データに対応するインク量を選択するインク量選択手段と、
前記選択されたインク量を用いて印刷を行う印刷実行手段と、を有することを特徴とする印刷装置。
【発明の詳細な説明】
【技術分野】
【０００１】
本発明は、カラープロファイルを用いて入力色データに対応するインク量を選択して印刷を行う印刷方法、同カラープロファイルを作成するカラープロファイル作成方法、及び印刷装置に関する。
【背景技術】
【０００２】
従来、プリンター等の印刷装置では、カラープロファイルを用いて入力データからインク量を選択し、選択されたインク量を用いて印刷を行っている。ここで、カラープロファイルとは、入力色データの各値により規定された空間アドレスと、この空間アドレスに対応するインク量とを対応付けたデータを言う。例えば、入力色データがｓＲＧＢ表色系で規定されている場合、カラープロファイルは、ｓＲＧＢの各要素（例えば、０≦Ｒ≦２５５、０≦Ｇ≦２５５、０≦Ｂ≦２５５で規定される立方空間）で規定される空間アドレスにインク量（例えば、Ｃ、Ｍ、Ｙ、Ｋ）を割り当てて構成されている。
【０００３】
入力色データの空間アドレスに割り当てられるインク量は、１対１の対応関係を取らず、様々な条件に応じてインク量の選択が行われる。また、入力色データ又はインク量により色再現される色域も入力色データが生成される装置又はインクを噴射する印刷装置の特性に依存する場合もあり、これら条件を加味しつつプロファイルの作成を行っている。
【０００４】
上記したプロファイルの作成過程において、印刷物の種別に応じてプロファイルを作成するための制約条件を変化させる場合がある。例えば、印刷物の発色の内、Ｃ、Ｍ、Ｙ、Ｒ、Ｇ、Ｂといった単色の色再現性を精度よくしたい場合、単色が属する空間アドレスの外郭に属するアドレス点に対して色再現性が優先されるようプロファイルが作成される（例えば、特許文献１参照）。一方、印刷物の発色の内、上記した単色を混色した中間色の色再現性を精度よくしたい場合、混色が属する外郭以外のアドレス点に対して色再現性が優先されるようカラープロファイルが作成される。
【先行技術文献】
【特許文献】
【０００５】
【特許文献１】特開２００７−２８１８１９号公報
【発明の概要】
【発明が解決しようとする課題】
【０００６】
上記のように、色再現性が精度よく実現された印刷物を生成するため、求められる色再現性に応じて個別のカラープロファイルを作成することが望ましい。しかし、利用者が求める色再現性は多様化しており、要求を全て満たすためには求める色再現性に応じて多数のプロファイルを保持しておく必要がある。しかし、印刷装置に対してプロファイルを複数保持させておくことはそれだけ記録媒体のリソースを専有することとなり望ましくない。また、求める色再現性に応じて利用者にカラープロファイルを選択させることは、印刷過程で逐次、利用者に最適なカラープロファイルを求めることとなり、利用者に煩雑な操作を強いることとなる。
【０００７】
本発明は、上記課題にかんがみてなされたもので、印刷装置に対して少なくとも２つ以上の色再現性を求める場合でも、１つのカラープロファイルを用いて印刷物に対して求められる色再現性を達成させることが可能なカラープロファイル、印刷方法、印刷装置の提供を目的とする。
【課題を解決するための手段】
【０００８】
上記課題を解決するために、本発明では、入力色データの値により規定される空間アドレスに対してインク量を対応付けたカラープロファイルを作成するカラープロファイル作成方法において、前記空間アドレスにおける所定の外郭に属するアドレス点の色再現性を優先するようインク量が設定される第１のプロファイルを作成する第１のプロファイル作成工程と、前記空間アドレスにおける前記外郭以外のアドレス点の色再現性を優先するようインク量が設定される第２のプロファイルを作成する第２のプロファイル作成工程と、前記空間アドレスの前記所定の外郭に位置するアドレス点に前記第１のプロファイルで同位置のアドレス点に設定されたインク量を設定し、前記空間アドレスの前記所定の外郭以外のアドレス点に前記第２のプロファイルで同位置のアドレス点に設定されたインク量を設定して第３のプロファイルを作成するプロファイル結合工程と、を有する構成としてある。
【０００９】
上記のように構成された発明は、入力色データの値により規定される空間アドレスに対してインク量を対応付けた第３のプロファイルを作成するカラープロファイルの作成方法に関するものである。
【００１０】
印刷装置は、第３のプロファイルを作成するに当たり、事前に、第１のプロファイルと第２のプロファイルとを作成する。ここで、第１のプロファイルは、空間アドレスにおける所定外郭に属するアドレス点の色再現性を優先するようインク量が設定されたプロファイルである。空間アドレスの所定外郭に位置するアドレス点は、グラフ画像といったビジネス向けに使用される単色が属する領域であるため、このアドレス点の色再現性を高めることで、ビジネス向けのプロファイルを作成することができる。一方、第２のプロファイルは、空間アドレスにおける所定外郭以外のアドレス点の色再現性を優先するようインク量が設定されたプロファイルである。空間アドレスの外郭以外のアドレス点は、写真画といった自然画の作成の際に使用される混色が属する領域であるため、このアドレス点の色再現性を高めることで、自然画向けのプロファイルを作成することができる。
【００１１】
そして、印刷装置は、空間アドレスの所定外郭のアドレス点に第１のプロファイルで同位置アドレスに設定されたインク量を割り当て、空間アドレスの所定外郭以外のアドレス点に第２のプロファイルで同位置アドレス点に設定されたインク量を設定して第３のプロファイルを作成する。そのため、第３のプロファイルは、各プロファイルにおける色再現性が優先されたアドレス点のインク量を結合して作成されることとなり、１つのプロファイルにおいて、ビジネス用の印刷物の色再現性と自然画の印刷物の色再現性とをバランス良く備えるプロファイルとなる。
【００１２】
同様に、この第３のプロファイルを用いて印刷を行うことで、印刷装置はビジネス用の印刷物と自然画の印刷物とを高精度に印刷することが可能となる。また、印刷装置がこのように作成された第３のプロファイルを保持することで、第１及び第２のプロファイルをそれぞれ保持する場合に比べて、記録媒体に記録される情報量を少なくすることが可能となり、リソースを有効に利用することができる。更に、利用者が印刷装置を利用する場合、第３のプロファイルを用いて、ビジネス向けの印刷物と自然画向けの印刷物を作成することが可能となるため、それぞれの印刷物を作成する際に、個別のプロファイルを選択する必要が生じない。
【図面の簡単な説明】
【００１３】
【図１】印刷装置１００の構成を説明するためのブロック構成図である。
【図２】印刷装置１００の構成を説明するためのブロック構成図である。
【図３】印刷装置１００により実行される色補正ＬＵＴの作成を示すイメージ図である。
【図４】印刷装置１００により実現される色補正ＬＵＴの作成を示すフローチャートである。
【図５】第１の色補正ＬＵＴを説明する図である。
【図６】第２の色補正ＬＵＴを説明する図である。
【図７】ステップＳ３の処理を詳細に説明するフローチャートである。
【図８】各色補正ＬＵＴの結合を説明する図である。
【図９】第３の色補正ＬＵＴ１１ｂにより再現される色域を説明するための図である。
【図１０】「空色」の調整を説明するための図である。
【図１１】印刷装置１００により実行される印刷方法を示すフローチャートである。
【発明を実施するための形態】
【００１４】
以下、下記の順序に従って本発明の実施形態を説明する。
１．印刷装置の構成：
２．色補正ＬＵＴの作成について：
３．印刷方法について：
４．その他の実施形態：
【００１５】
１．印刷装置の構成： 
以下、図を参照して、この発明に係る印刷装置を具体化した第１の実施の形態について説明する。図１、図２は、印刷装置１００の構成を説明するためのブロック構成図である。本実施形態では、印刷装置１００は、パーソナルコンピューター（以下、ＰＣとも記載する）１０とプリンター２０とがケーブル５０に接続されて構成される。
【００１６】
ＰＣ１０は、記録部１１、ＣＰＵ（Central Processing Unit）１２、ＲＡＭ（Random Access Memory）１３、ＵＳＢＩ／Ｆ（Universal Serial Bus Interface）１４、ビデオＩ／Ｆ１５、入力Ｉ／Ｆ１６などを備えている。各部はバスを通じて接続されており、ＣＰＵ１２による統合的な制御を受ける。また、記録部１１は、例えばハードディスクドライブ（ＨＤＤ:Hard Disk Drive）により実現され、ＣＰＵ１２に対して各種機能を実現させるためのプログラムやデータが記録されている。本実施形態では、記録部１１には、印刷を行うためのドライバープログラム１１ａや、色補正ＬＵＴ（Look Up Table）１１ｂ、更には、色補正ＬＵＴを作成するためのＬＵＴ作成プログラム１１ｃが記録されている。本実施形態では、この色補正ＬＵＴがカラープロファイルに相当する。
【００１７】
ＰＣ１０は、ドライバープログラムに従った演算を実行し、プリンター２０をＵＳＢＩ／Ｆ１４等を介して制御することにより、プリンター２０に対して印刷物を形成させる。また、ＰＣ１０は、ビデオＩ／Ｆ１５を介してディスプレイ３０と接続されており、入力Ｉ／Ｆ１６を介してキーボードやマウス等の操作部４０と接続されている。
【００１８】
更に、ＣＰＵ１２は記録部１１に記録されたＬＵＴ作成プログラム１１ｃを実行して、カラープロファイルとしての色補正ＬＵＴ１１ｂを作成する。本実施形態では、ＣＰＵ１２は、ＬＵＴ作成プログラム１１ｃを実行して、第１の色補正ＬＵＴを作成する第１のプロファイル作成部１２ａ、第２の色補正ＬＵＴを作成する第２のプロファイル作成部１２ｂ、更には、上記第１及び第２の色補正ＬＵＴから第３の色補正ＬＵＴ１１ｂを作成するプロファイル結合部１２ｃとして作用的に機能する。以下、第１のプロファイル作成部、第２のプロファイル、プロファイル結合部は、それぞれＣＰＵ１２の一機能として説明を行うが、これに限定されず、例えば、素子により構成されるブロックとして実現されるものであってもよい。
【００１９】
プリンター２０は、メインコントローラー２１と、入力Ｉ・Ｏ２２、用紙搬送機構２３、更には印刷ヘッドユニット２４を備えて構成されている。プリンター２０はインクジェット式のプリンターであり、印刷ヘッドユニット２４がＣ（シアン）、Ｍ（マゼンダ）、Ｙ（イエロー）、Ｋ（ブラック）の各色のトナーと着脱可能に接続し、このトナーから供給されるインクを噴射して印刷物を形成する。また、入力Ｉ・Ｏ２２、用紙搬送機構２３、及び印刷ヘッドユニット２４は、それぞれメインコントローラー２１に接続されており、メインコントローラー２１による統合的な制御を受ける。更に、プリンター２０の入力Ｉ・Ｏ２２は、ＰＣ１０のＵＳＢＩ／Ｆ１４とケーブル５０を通じて接続可能であり、ＰＣ１０から印刷用データを受信すると、メインコントローラー２１は印刷ヘッドユニット２４に対して印刷用データにより指定されたインクを噴射させる。
【００２０】
２．色補正ＬＵＴの作成について：
図３は、印刷装置１００により実行される色補正ＬＵＴの作成を示すイメージ図である。また、図４は、印刷装置１００により実現される色補正ＬＵＴの作成を示すフローチャートである。そして、図５は、第１の色補正ＬＵＴを説明する図である。さらに、図６は、第２の色補正ＬＵＴを説明する図である。
【００２１】
図３に示すように、印刷装置１００は、第３の色補正ＬＵＴ１１ｂを異なる色再現性を備える色補正ＬＵＴ（第１の色補正ＬＵＴ、第２の色補正ＬＵＴ）を結合して作成する。色補正ＬＵＴには、入力色データとインク量との関係を記録するエレメントデータを含んで構成されている。そして、印刷装置１００は、第１の色補正ＬＵＴと第２の色補正ＬＵＴにおける各エレメントデータの値を結合して第３の色補正ＬＵＴの生成が行われる。
【００２２】
更に、色補正ＬＵＴのエレメントデータには入力色データの色成分と、この色成分に対応付けられるインク量の対応関係を規定するテーブルが記録されている。本実施形態では、入力色データはｓＲＧＢ表色系であり、インク量はＣＭＹＫの各インク階調値（０以上、２５５以下の値）の組合せにより規定される。即ち、図５に示すように、色補正ＬＵＴは、ＲＧＢの各色成分を軸とし、色成分の値を軸上の位置とするアドレス点（グリットとも記載する）により規定された空間アドレスとして表すことができる。そのため、入力色データの各色８ビットの値（０≦Ｒ≦２５５、０≦Ｇ≦２５５、０≦Ｂ≦２５５）の内、等間隔に配置された１６個のアドレス点に対して所定のインク量が設定される。なお、色補正ＬＵＴに設定されていない入力色データに対するインク量を選択する場合は、これらグリット間を補間演算して所定のインク量を算出する。
【００２３】
図４に示すように、まず、ステップＳ１では、第１のプロファイル作成部１２ａにより、色補正ＬＵＴの元となる第１の色補正ＬＵＴが作成される。そして、ステップＳ２では、第２のプロファイル作成部１２ｂにより、色補正ＬＵＴの元となる第２の色補正ＬＵＴが作成される。さらに、ステップＳ３では、プロファイル結合部１２ｃにより、第１の色補正ＬＵＴと第２の色補正ＬＵＴを結合して、第３の色補正ＬＵＴ１１ｂが作成される。そして、ステップＳ４では、プロファイル結合部１２ｃにより、新たに作成された第３の色補正ＬＵＴ１１ｂに対して記憶色（「空色」）の評価が行われる。
【００２４】
ここで、第１の色補正ＬＵＴは、ビジネス向けの発色に特化した色補正ＬＵＴであり、Ｃ、Ｍ、Ｙ、Ｋ、Ｒ、Ｇ、Ｂの各単色の色再現性を優先するよう作成されている。また、第２の色補正ＬＵＴは、自然画の発色に特化した色補正ＬＵＴであり、単色の色再現に比べて混色の色再現性を優先するよう作成されている。そして、これらの色補正ＬＵＴを結合して作成される第３の色補正ＬＵＴ１１ｂは、単色の発色性と、混色の発色性をバランスよく考慮した色補正ＬＵＴとなる。なお、印刷装置１００では、主に第３の色補正ＬＵＴ１１ｂを用いて印刷が行われる。以下、各ステップにおける詳細な処理を説明する。
【００２５】
＜＜ステップＳ１＞＞
ステップＳ１では、ＰＣ１０（第１のプロファイル作成部１２ａ）は、第１の色補正ＬＵＴを作成する。第１の色補正ＬＵＴでは、空間アドレスにおけるＲ−Ｙ−Ｇ−Ｃ−Ｂ−Ｍ−Ｒの各頂点を繋ぐ稜線（以下、ＣＵＳＰとも記載する。）より高明度側の外郭に属するグリットの色再現性を優先するようインク量が設定される（図５）。即ち、Ｒ−Ｙ−Ｗ−Ｍ平面、Ｙ−Ｇ−Ｃ−Ｗ平面、Ｗ−Ｃ−Ｂ−Ｍ平面の３平面に属するグリットに対して色再現性を高めるようインク量が設定される。例えば、Ｗ−Ｃ−Ｂ−Ｍ平面上のグリットに対して、入力色データの成分値（ＲＧＢ値）と、このグリットに設定されるインク量（ＣＭＹＫ）とが、等色色空間（例えば、Ｌａｂ値）で等しい値となるようインク量が設定される。さらに、第１の色補正ＬＵＴにおけるＷ−Ｃ、Ｗ−Ｍ、Ｗ−Ｙの各稜線上に設定されるインク量はそれぞれＣ、Ｍ、Ｙの各単色インクにより設定される。なお、ステップＳ１の処理により、本発明の第１のプロファイル作成工程が実現される。
【００２６】
ここで、色補正ＬＵＴでは、様々な制約条件のもとグリットにインク量が設定される。例えば、グリットに設定されるインク量の上限を設定するインク量デューテや、グリット間での階調性を考慮してインク量が設定される。なお、階調性とは、隣接グリットを結んで算出されるインク量の階調幅（明度幅）が各グリット間で均等となることをいう。そのため、第１の色補正ＬＵＴでは、インク量デューテやグリット間の階調性を保持しつつ、上記３外郭の色再現性を優先する反面、３外郭以外のグリットに設定されるインク量はその色再現性の優先度が低下することとなる。
【００２７】
＜＜ステップＳ２＞＞
ステップＳ２では、ＰＣ１０（第２のプロファイル作成部１２ｂ）は、第２の色補正ＬＵＴを作成する。第２の色補正ＬＵＴは、自然画の色再現性が優先されるようインク量の設定が行なわれる。写真画等の自然画では、Ｃ、Ｍ、Ｙ、Ｒ、Ｇ、Ｂの各単色に比べてこれらを混色して生成される色を多く用いる傾向がある。図６Ａに示すように、空間アドレスを、Ｗ及びＫの頂点を結んだ方向の断面で示すと、これら混色は空間アドレス上で外郭以外に属するグリットに対応する。そのため、第２の色補正ＬＵＴでは、混色が存在するグリットに対してインク量の色再現性が優先されるようインク量が設定される。また、第２の色補正ＬＵＴにおいても、インク量デューテや、階調性を保持しつつ、空間アドレスの外郭以外のグリットの色再現性を優先することで、空間アドレスの外郭に属するグリットに設定されるインク量はその色再現性の優先度が低下することとなる。また、ステップＳ２の処理により本発明に係る第２のプロファイル作成工程が実現される。
【００２８】
更に、本実施形態では、第２の色補正ＬＵＴにおける空間アドレスのＲ−Ｙ−Ｇ−Ｃ−Ｂ−Ｍ−Ｒ稜線に属するグリットに対しても、第１の色補正ＬＵＴの同位置グリットに設定されたインク量の明度と近い明度となるようインク量が設定される。例えば、第２の色補正ＬＵＴのＣ頂点のグリット（Ｒ＝０、Ｇ＝２５５、Ｂ＝２５５）に設定されるインク量は第１の色補正ＬＵＴのＣ頂点に設定されるインク量に対して明度差ΔＬ≦５となる範囲でインク量が設定される。
【００２９】
ここで、第１の色補正ＬＵＴと第２の色補正ＬＵＴとの間で、ＣＵＳＰに属するグリットの明度差を小さくするのは以下の理由による。第１の色補正ＬＵＴと第２の色補正ＬＵＴとは、上記したＣＵＳＰを境に結合が行われる。ここで、図６Ｂに示すように、両色補正ＬＵＴにおいて上記ＣＵＳＰでのインク量の明度差が大きいと、結合後の第３の色補正ＬＵＴ１１ｂにおいて、ＣＵＳＰを境に階調反転が生じてしまう場合がある。例えば、第２の色補正ＬＵＴにおいてＣ頂点付近の明度が第１の色補正ＬＵＴと比べて高くなると、結合後の第３の色補正ＬＵＴ１１ｂにおいて、外郭に属するグリットに設定されたインク量の明度が内側に属するグリットに設定されたインク量の明度に比べて低くなり、ＣＵＳＰを境に階調反転が生じることとなる。そのため、第２色補正ＬＵＴに対してＣＵＳＰに属するグリットの明度を、第１の色補正ＬＵＴの同位置グリットの明度と近い値にすることで、ＣＵＳＰ周辺の階調反転を抑制している。
【００３０】
＜＜＜ステップＳ３＞＞＞
図７は、ステップＳ３の処理を詳細に説明するフローチャートである。また、図８は、各色補正ＬＵＴの結合を説明する図である。なお、ステップＳ３の処理により本発明に係るプロファイル結合工程が実現される。
【００３１】
図７のステップＳ３１では、ＰＣ１０（プロファイル結合部１２ｃ）は、空間アドレスのグリットに設定された色成分値（Ｒ、Ｇ、Ｂ）をＨＳＶ表色系のＨ（Hue）、Ｓ（Saturation）、Ｖ（Value）の各値に変換する。なお、ＲＧＢ値からＨ、Ｓ、Ｖへの変換は下記に示す式（１）を用いて行われる。
【数１】
2013016956.tif 000003
ここで、ＭＡＸは、色成分値（ＲＧＢ）の内、最大値となるものである。また、ＭＩＮは、色成分値（ＲＧＢ）の内、最小値となるものである。
【００３２】
次に、ステップＳ３２では、ＰＣ１０（プロファイル結合部１２ｃ）は、明度Ｖの値をもとに第１の色補正ＬＵＴと第２の色補正ＬＵＴの結合の目安となる閾値を設定する。図８に示すように、空間アドレスをＨＳＶ表色系の空間に変換した色域をＷ頂点とＫ頂点を結ぶＷ−Ｋ軸断面により示す場合、明度Ｖは外郭（図８では、Ｗ−Ｃ稜線）を最大値（Ｖ＝２５５、又はＶ＝１００パーセント）として、このＷ−Ｃ稜線から最小値であるＫ点（Ｖ＝０、又はＶ＝０パーセント）の間の値として示すことができる。そのため、明度Ｖを用いることで外郭とそれ以外の領域との境を容易に区別することができる。本実施形態では、明度Ｖ＝７５パーセントを閾値として用いる。無論、閾値として明度Ｖ＝７５パーセントを用いることは一例である。
【００３３】
ステップＳ３３では、ＰＣ１０（プロファイル結合部１２ｃ）は、第３の色補正ＬＵＴ１１ｂの空間アドレスにおいて、Ｒ−Ｙ−Ｗ−Ｍ平面、Ｙ−Ｇ−Ｃ−Ｗ平面、Ｗ−Ｃ−Ｂ−Ｍ平面に属するグリットに第１の色補正ＬＵＴの同位置のグリットに設定されたインク量ＩＪ１を設定する。以下、第３の色補正ＬＵＴ１１ｂに設定されるインク量の内、第１の色補正ＬＵＴに基づくものをインク量ＩＪ１とし、第２の色補正ＬＵＴに基づくものをインク量ＩＪ２と記載する。
【００３４】
ステップＳ３４では、ＰＣ１０（プロファイル結合部１２ｃ）は、ステップＳ３２において設定された閾値（明度Ｖ＝７５パーセント）より低い明度Ｖのグリット（０≦Ｖ≦７５）に対して第２の色補正ＬＵＴで同位置のグリットに設定されたインク量ＩＪ２を設定する。
【００３５】
ステップＳ３５では、ＰＣ１０（プロファイル結合部１２ｃ）は、３外郭と閾値との間のグリットに対して階調変化を配慮しつつインク量を設定する。本実施形態では、閾値を明度Ｖ＝７５パーセントとして設定しているため、ＰＣ１０は、第３の色補正ＬＵＴの空間アドレスにおいて７５＜Ｖ＜１００の間に属するグリットに対して第１の色補正ＬＵＴ又は第２の色補正ＬＵＴの同位置グリットに設定されたインク量をその混合比率を変化させつつ設定する。
【００３６】
３外郭と閾値との間のグリットに設定されるインク量の混合比を変化させるのは以下の理由からである。上記のように色補正ＬＵＴはグリット間の階調性が均一であることが望ましいが、第１の色補正ＬＵＴと第２の色補正ＬＵＴとは別々の色補正ＬＵＴであるため、単に結合させただけでは、結合後の第３の色補正ＬＵＴ１１ｂの階調性が破綻する可能性がある。そのため、空間アドレス上で７５＜Ｖ＜１００の間に属するグリットに対してインク量の混合比を変化させることで、外郭（Ｖ＝１００）及び閾値（Ｖ＝７５）を含んだ隣接グリット間の階調性が高くなるようインク量の設定が行なわれる。
【００３７】
＜＜ステップＳ４、Ｓ５＞＞
そして、ステップＳ４では、ＰＣ１０（プロファイル結合部１２ｃ）は、作成された第３の色補正ＬＵＴ１１ｂに対して「空色」の評価を行う。本印刷装置１００では、「空色」は記憶色に属するため、この「空色」に対して個別にインク量の調整が行えるようにしている。ここで、本実施形態では、「空色」を第３の色補正ＬＵＴ１１ｂの内、ＨＳＶ表色系において、１９０＜Ｈ＜２３０．０．２＜Ｓ＜０．８、８０パーセント＜Ｖ≦１００パーセントに属するグリットで表現される色と定義する。即ち、第３の色補正ＬＵＴにおいて、上記値で示される範囲に属するグリットを空色と見なし、このグリットに属するインクに対して評価を行う。そのため、空色の評価がＮＧである場合（ステップＳ４：ＮＯ）、ＰＣ１０は、空色に対応するグリットに対してインク量の再設定を行い、再設定後のインク量に対して評価が行われる。「空色」の評価方法としては、ＰＣ１０が第３の色補正ＬＵＴ１１ｂを用いてプリンター２０に空色を印刷させ、同印刷物を図示しない測色機又は目視により評価することで行われる。
【００３８】
図９は、第３の色補正ＬＵＴ１１ｂにより再現される色域を説明するための図である。また、図１０は、「空色」の調整を説明するための図である。ここで、図１０Ａは、ある明度において空色が属する領域を拡大して示す図である。なお、図１０Ａでは、ＨＳＶ表色形における色相Ｈの変化を示すため、便宜上、横軸をＳｘ、縦軸をＳｙにより示す。また、図１０Ｂ〜図１０Ｄは、空色を調整するための関数の各項を説明する図である。
【００３９】
図９Ａに示すように、「空色」は、第３の色補正ＬＵＴ１１ｂにおいて、Ｗ−Ｃ−Ｂ−Ｍ平面付近の低明度側に属するグリットに対応し、第１の色補正ＬＵＴに基づくインク量ＩＪ１に強い影響を受ける。また、図９Ｂに示すように、第１の色補正ＬＵＴの色域のＣ稜線は、純色インク（シアンインク）の発色軌跡に合わせて設定されるため、色域における色相方向でＢ（ブルー）稜線に近づく傾向がある。そのため、Ｃ稜線に設定されたインク量の色彩値がＢ稜線に近づくことで、「空色」の色味が理想とする色味から赤みがかってしまう場合がある。
【００４０】
本実施形態では、「空色」に対応するグリットが含まれる領域をコントロールポイントとして設定し、このコントロールポイントのみに作用する関数Ｆを用いて「空色」に対応するグリットに設定されるインク量の調整を行う。ここで、コントロールポイントは第３の色補正ＬＵＴ１１ｂにおけるＷ−Ｂ、Ｗ−Ｃ、ＣーＢの各稜線で囲まれた領域に設定する。また、このコントロールポイントを調整する関数Ｆは、下記の条件（１）〜（３）を満たすよう設定される。
【００４１】
条件（１）ＣＵＳＰ上のグリットのインク量は変化させないこと。
条件（２）コントロールポイントに含まれるグリットに設定されたインク量は、色相Ｈ毎に変化し、中彩度域の変化量が最大となる弓状に色相Ｈが変化すること。
条件（３）コントロールポイントでは、外郭から内部に向かうに従い、変化量が少なくなること。
【００４２】
上記（１）の条件を満たす理由は、第３の色補正ＬＵＴ１１ｂの作成の際、第１の色補正ＬＵＴと第２の色補正ＬＵＴはＣＵＳＰを境に結合を行っているため、インク量を変化させることは望ましくないからである。
また、上記（２）の条件を満たす理由は、「空色」が属する領域は中彩度域付近であるため、この領域において変化が大きくなることが望ましいからである。
さらに、上記（３）の条件を満たす理由は、「空色」が属する領域は、外郭付近であるため（図９Ａ）、この領域において変化が大きくなることが望ましいからである。
【００４３】
本実施形態では、関数Ｆを以下の式（２）を用いて定義する。
【数２】
2013016956.tif 000004
ここで、Ｈ’、Ｓ’、Ｖ’は、コントロールポイントに属するインク量の変化後のＨＳＶ表色系での各値を示す。また、Ｈ、Ｓ、Ｖは、コントロールポイントに属するインク量の変化前の各値である。そして、ｄＨ（Ｈ、Ｓ、Ｖ）は、コントロールポイントに属するインク量の各値（Ｈ、Ｓ、Ｖ）を変数とする関数であり、色相Ｈの変化量を示す。上記式（２）から、図１０Ａに示すように、関数Ｆによりコントロールポイント内のグリットではその色相Ｈのみが変化するようインク量の再設定が行われる。
【００４４】
また、本実施形態では、ｄＨ（Ｈ、Ｓ、Ｖ）は、下記式（３）により設定される。
【数３】
2013016956.tif 000005
【００４５】
ｄＨｍａｘ（Ｈ）は、独立変数を色相Ｈとし、従属変数をこの色相Ｈに属するグリットに設定されたインク量の色相Ｈ方向での変化量とする関数であり上記条件（１）に基づいて設定される。本実施形態では、図１０Ｂに示すように、ｄＨｍａｘは、独立変数を、１８０°から３００°の間で設定し、従属変数を−２０°から０°の間で設定する。更に、ｄＨｍａｘ（Ｈ）のグラフは、１８０°≦Ｈ＜２１５°（Ｈ＝１８０°はＣ稜線）において、変化量が０度から−２０度に単調変化し、２１５≦Ｈ≦２４０°（Ｈ＝２４０°はＢ稜線）において変化量が−２０°で一定となるよう設定されている。ここで、色相Ｈ＝２１５°は、本実施形態におけるコントロールポイントの中心に対応する色相である。
【００４６】
ｗｔ＿Ｓ（Ｓ、Ｓｍ（Ｈ）、ｇａｍ＿ｌｏｗ（Ｈ）、ｇａｍ＿ｈｉ（Ｈ））は、独立変数を彩度Ｓと色相Ｈとし、従属変数を重みとする関数であり、上記条件（２）に基づいて設定される（そのため、ｗｔ＿Ｓ（Ｓ、Ｈ）とも記載する。）。本実施形態では、ｗｔ＿Ｓ（Ｓ、Ｓｍ（Ｈ）、ｇａｍ＿ｌｏｗ（Ｈ）、ｇａｍ＿ｈｉ（Ｈ））は、図１０Ｃに示すように、中間彩度Ｓｍ（Ｈ）において値が最大（本実施形態では、１）となる上凸関数として設定される。また、ｇａｍ＿ｌｏｗ（Ｈ）は、該当色相の中間彩度Ｓｍ（Ｈ）より低彩度側の移動係数を算出する乗数である。そして、ｇａｍ＿ｈｉ（Ｈ）は、該当色相の中間彩度Ｓｍ（Ｈ）より高彩度側の移動係数を算出する乗数である。例えば、色相Ｈ＝２４０では、関数ｗｔ＿Ｓ（Ｓ、Ｓｍ（240）、ｇａｍ＿ｌｏｗ（240）、ｇａｍ＿ｈｉ（240））により、関数Ｆは、該当色相Ｈにおいて、中間彩度Ｓｍ（240）の変化量が最大となり、この中間彩度Ｓｍ(240)と比べて低彩度及び高彩度での変化量が上記した中間彩度Ｓｍ(240)と比べて小さくなるよう設定される。なお、中間彩度Ｓｍ(Ｈ)の算出方法としては、該当色相Ｈに属するグリットに設定されたインク量における彩度Ｓの中間値として算出するものであってもよいし、インク量における彩度Ｓの平均値を算出するものであってもよい。
【００４７】
ｗｔ＿Ｖ（Ｖ、Ｖｂｅｔ（Ｈ））は、独立変数を明度Ｖとし、従属変数を重みとする関数であり、上記条件（３）に基づいて設定される。本実施形態では、ｗｔ＿Ｖ（Ｖ、Ｖｂｅｔ（Ｈ））は、図１０Ｄに示すように、明度Ｖ＝１９２で重みが０から単調増加し、明度Ｖ＝２５５付近（１００パーセント）で最大となるよう設定される。即ち、ｗｔ＿Ｖ（Ｖ、Ｖｂｅｔ（Ｈ））により、関数Ｆは、０≦Ｖ＜１９２で示される内側のグリットに対しては、色相Ｈを変化させず、１９２≦Ｖ≦２５５で示される外郭（Ｗ−Ｃ−Ｂ−Ｍ平面）付近のグリットに対して色相Ｈを変化させる。
【００４８】
そのため、ステップＳ５において、ＰＣ１０は、上記式(２)により示される関数Ｆを用いてコントロールポイントの色相ＨをＣ稜線方向に移動させる。本実施形態では、上記式（２）により、１８０°＜Ｈ≦２４０°に属するグリットに設定されたインク量に対して調整が行われる（図１０Ａ）。このとき、コントロールポイント内では、中間彩度Ｓｍ（Ｈ）（図中●で示す値）で色相が最も大きく変化するよう色相が弓上に変化する。更に、上記式（２）に含まれるｗｔ＿Ｖ（Ｖ、Ｖｂｅｔ（Ｈ））の項により、Ｗ−Ｃ−Ｂ−Ｍ平面周辺の１９２≦Ｖ≦２５５の範囲に属するグリットに対して調整が行われる。そして、ＰＣ１０は、調整後の色相Ｈに対応したインク量を該当グリットに対して再設定する。一例として、ＰＣ１０は、関数Ｆにより算出される変化後の色相Ｈとインク量との関係を示すテーブルを事前に作成しておき、このテーブルを用いて変化後の色相Ｈに対応するインク量をグリットに設定する。
【００４９】
そして、再設定後の第３の色補正ＬＵＴ１１ｂにおいて空色の評価がＯＫである場合（ステップＳ４：ＹＥＳ）、ステップＳ６において色補正ＬＵＴを記録部１１に記録する。以後、印刷装置１００における印刷処理ではこの第３の色補正ＬＵＴ１１ｂを用いて印刷が実行される。以上、色補正ＬＵＴの作成方法について説明した。
【００５０】
３．印刷方法について：
図１１は、印刷装置１００により実行される印刷方法を示すフローチャートである。第３の色補正ＬＵＴ１１ｂを用いて行われる印刷方法は、上記した色補正ＬＵＴの作成とは別に実行される。そのため、印刷装置１００が図１１に示す印刷方法を実行するに当たり、ＰＣ１０の記録部１１には第３の色補正ＬＵＴ１１ｂを記録しているものとする。以下、図１１を用いて、印刷装置１００における印刷方法を説明する。
【００５１】
ステップＳ１００において、ＰＣ１０は、画像データを取得する。例えば、ＰＣ１０に記録されたアプリケーションプログラムにより所定の画像データが生成され、ユーザによりこの画像データを印刷する旨の印刷命令がコンピューター１０に対して入力されたとする。コンピューター１０のプリンタドライバは、ユーザからの印刷命令を受けると、画像データ（入力色データ）に対して解像度変換処理、色変換処理、ハーフトーン処理、ラスタライズ処理を行う。
【００５２】
ステップＳ１１０では、ＰＣ１０は、画像データに対して解像度変換処理を施す。解像度変換処理は、アプリケーションプログラムから出力された画像データ（テキストデータ、イメージデータなど）を、用紙に印刷する際の解像度に変換する処理である。例えば、用紙に画像を印刷する際の解像度が７２０×７２０ｄｐｉに指定されている場合、アプリケーションプログラムから受け取った画像データを７２０×７２０ｄｐｉの解像度の画像データに変換する。なお、解像度変換処理後の画像データは、ｓＲＧＢ空間アドレスにより表される２５６階調のデータ（ＲＧＢデータ）である。
【００５３】
ステップＳ１２０では、ＰＣ１０は、ＲＧＢデータに対して色変換処理を施す。色変換処理は、ＲＧＢデータを空間アドレスに登録されたＣＭＹＫデータに変換する処理である。この色変換処理では、上記した第３の色補正ＬＵＴ１１ｂが用いられる。即ち、プリンタドライバは、第３の色補正ＬＵＴ１１ｂを用いて各画素に対応付けられた色成分値を、インク量に対応するＣＭＹＫデータに変換する。そのため、ステップＳ１２０により本発明のインク量選択手段が実現される。
【００５４】
ここで、ＰＣ１０が第３の色補正ＬＵＴ１１ｂを用いて色変換処理を行うことで、印刷物がビジネス用の印刷物又は自然画の印刷物であっても、ＰＣ１０がそれらを高精度に印刷することが可能となる。また、ＰＣ１０がこのように作成された第３の色補正ＬＵＴ１１ｂを保持することで、第１及び第２の色補正ＬＵＴをそれぞれ保持する場合に比べて、記録媒体に記録される情報量を少なくすることが可能となり、リソースを有効に利用することができる。更に、利用者が印刷装置１００を利用する場合、第３の色補正ＬＵＴ１１ｂを用いて、ビジネス向けの印刷物と自然画向けの印刷物を作成することが可能となるため、それぞれの印刷物を作成する際に、個別のプロファイルを選択する必要が生じない。
【００５５】
ステップＳ１３０では、ＰＣ１０は、ＣＭＹＫデータに対してハーフトーン処理を施す。ハーフトーン処理は、高階調数のデータを、プリンターが形成可能な階調数のデータ（ハーフトーンデータ）に変換する処理である。例えば、ハーフトーン処理により、２５６階調を示すデータが、２階調を示す１ビットデータや４階調を示す２ビットデータのハーフトーンデータに変換される。ハーフトーン処理では、ディザ法・誤差拡散法などを利用して、プリンターがドットを分散して形成できるように印刷データを作成する。ハーフトーン処理されたデータは、前述のＲＧＢデータと同等の解像度（例えば７２０×７２０ｄｐｉ）を有している。
【００５６】
ステップＳ１４０では、ＰＣ１０は、ハーフトーンデータに対してラスタライズ処理を施す。ラスタライズ処理は、マトリクス状のハーフトーンデータを、プリンター２０に転送すべきデータ順に変更する処理である。ラスタライズ処理されたハーフトーンデータは、印刷データに含まれる画素データとして、プリンター２０に出力される。
【００５７】
ステップＳ１５０では、プリンター２０は、ハーフトーンデータを用いて印刷処理を実行する。プリンター２０は所定ライン毎の印刷データ（画素データ）をプリンター２０から受信すると、この画素データをアナログの駆動電圧に変換し、印刷ヘッドユニット２４を駆動させる。印刷ヘッドユニット２４の駆動によりインクが用紙に噴射され、画像の形成が行われる。そのため、ステップ１３０〜１５０の処理により本発明に係る印刷実行手段を実現する。以上、印刷装置１００における印刷方法を説明した。
【００５８】
４．その他の実施形態：
印刷装置１００をＰＣ１０とプリンター２０により実現することは一例であり、これ以外にも、プリンター２０の内部にＰＣ１０の機能を備えることにより、本実施形態に係る印刷装置の機能を実現するものであってもよい。
また、ＰＣ１０が第３の色補正ＬＵＴ以外にも、第１の色補正ＬＵＴ及び第２の色補正ＬＵＴを記録しておき、印刷用途に応じて各色補正ＬＵＴを使い分けるものであってもよい。
【００５９】
なお、本発明は上記実施例に限られるものでないことは言うまでもない。即ち、上記実施例の中で開示した相互に置換可能な部材および構成等を適宜その組み合わせを変更して適用すること、上記実施例の中で開示されていないが、公知技術であって上記実施例の中で開示した部材および構成等と相互に置換可能な部材および構成等を適宜置換し、またその組み合わせを変更して適用すること、上記実施例の中で開示されていないが、公知技術等に基づいて当業者が上記実施例の中で開示した部材および構成等の代用として想定し得る部材および構成等と適宜置換し、またその組み合わせを変更して適用すること、は本発明の一実施例として開示されるものである。  
【符号の説明】
【００６０】
１０…パーソナルコンピューター、１１…記録部、１２…ＣＰＵ、１３…ＲＡＭ、１４…ＵＳＢＩ／Ｆ、１５…ビデオＩ／Ｆ、１６…入力Ｉ／Ｆ、２０…プリンター、２１…メインコントローラー、２３…用紙搬送機構、２４…印刷ヘッドユニット、３０…ディスプレイ、４０…操作部、５０…ケーブル、１００…印刷装置
【図１】
2013016956.tif 000006
【図２】
2013016956.tif 000007
【図３】
2013016956.tif 000008
【図４】
2013016956.tif 000009
【図５】
2013016956.tif 000010
【図６】
2013016956.tif 000011
【図７】
2013016956.tif 000012
【図８】
2013016956.tif 000013
【図９】
2013016956.tif 000014
【図１０】
2013016956.tif 000015
【図１１】
2013016956.tif 000016